(57)【要約】【課題】  紙片の繊維を長く保ち再生紙に使用できるようにしたドキュメントシュレッダーの紙圧縮部で、用紙片に水分を供給し柔らかくする。【解決手段】  空気中から水分を採取する手段を用い湿った空気を圧縮部に送り込み、圧縮前又は圧縮中の用紙片に水分を吸収させ紙を柔らかくし圧縮する。【選択図】      図１
2006007192.tif 000002
【特許請求の範囲】
【請求項１】
用紙搬送部と用紙破砕部とで構成され引千切りにより用紙を破砕するドキュメントシュレッダー装置の紙圧縮装置において、空気中の水分を採集する手段を用い湿った空気又は結露した水を生成し、それを圧縮前又は圧縮中の用紙片に供給し、用紙の繊維を柔らかくしそれを圧縮固結させることを特徴とするドキュメントシュレッダー装置の紙圧縮装置。
【請求項２】
空気中の水分を採取する手段が、塩化リチューム又はシリカゲル等の吸湿材の粉を塗布し回転するフィンであり、局部的な加熱で水分を取り出しその湿った空気を紙圧縮装置の圧力室に供給することを特徴とする請求項１記載のドキュメントシュレッダー装置の紙圧縮装置。
【請求項３】
空気中の水を採集する手段から供給される高温多湿の風が、用紙片に水分を供給すると共に、用紙片を紙圧縮装置へ送りこむようにしたことを特徴とする請求項１および請求項２記載のドキュメントシュレッダー装置の紙圧縮装置。
【発明の詳細な説明】
【技術分野】
【０００１】    本発明は機密保持の目的で廃棄する書類を細かく破砕しその記載内容を読めなくした状態で廃棄するためのドキュメントシュレッダー装置の紙圧縮装置に関するものである。
【背景技術】
【０００２】  従来のドキュメントシュレッダー装置の紙圧縮部は破砕された用紙をそのまま圧力室で圧縮・固形化する物であった。
【発明の開示】
【発明が解決しようとする課題】
【０００３】  本発明はこれまで紙圧縮で必要としていた大きな動力又はその際発生する騒音を減少させ、小型・低トルクでも高圧縮率および用紙固結が可能なドキュメントシュレッダー装置の紙圧縮装置を提案するものである。
【課題を解決するための手段】
【０００４】  本発明では空気中から水分（水蒸気）を採集し、圧縮される用紙片に供給することで用紙の繊維を柔らかくし圧縮効率を高めるものである。【０００５】  塩化リチューム・シリカゲル等の吸湿材を使用し一方で空気中の水分を積極的に取り込み、もう一方でそれを加熱し取り出し高温多湿の風にして紙に供給する。
【発明の効果】
【０００６】  圧縮される用紙の繊維が水分で柔らかくなり圧縮が非常に容易になる。その結果圧縮機の動力及び圧縮室の強度が低減化され大きなコストダウンとなり、圧縮の際発生する騒音も大きく減少する。【０００７】  水分で一旦柔らかくなった用紙片は紙どうしの繊維が絡みやすくなる為、用紙片の固形化が非常に容易となる。
【発明を実施するための最良の形態】
【０００８】  本発明の請求項１及び請求項２記載の実施の形態について図１及び２図（１図の側面図）図３（図の左側面図）を参照し説明する。
用紙破砕部９は用紙片１０を生成しスクリュー圧縮部１２へ供給する。用紙片１０が落下する途中には穴７が設けられている。穴７の反対側にはファン１が設けられローター２の隙間を通して外部の空気が穴７から流入するようになっている。【０００９】  ローター２は内部が細かいスリット状の格子で通気性を有し、その格子の表面には例えば塩化リチュームのような吸湿材が塗布されており、中心部には回転用の軸３がありモーター４と繋がっていてローター２をゆっくり回転させている。【００１０】  筒５はファン１からの風をローター２に導くもので、ファンの風を上下に分ける仕切板８があり、仕切板８の上部のみにヒーター６が設置されている。【００１１】  ファン１が外部から水分を含む空気を導入するとヒーター６により上半分の空気が温められローター２の格子を通過し穴７かスクリュー圧縮部１２内部に送られ、ローター２の下半分の空気は室温でローター２を通過し再び外部に排出される。【００１２】  回転しているローター２の内部では、下半分の格子で塩化リチュームが通過する室温空気から水分を吸収し、ローター２の回転で吸湿部分が上半分に来るとヒーター６で暖められた空気が塩化リチュームを通過するため水分が空気中へ戻り、その結果常に上半分の空気は高湿多湿の空気が穴７からスクリュー圧縮部１２内に送り込まれる。用紙片１０は吸湿性が高くまた高温多湿の空気が当たるとその温度差でより吸湿し易くなり、その水分で用紙片の繊維がやわらかくなる。【００１３】  本発明の請求項３記載の実施の形態について図４を参照し説明する。
スクリュー圧縮部１２の圧力室内壁に溝１１を設け、供給される高温多湿の空気が溝１１を通り水分を用紙に供給しながら外部に流出するようにし、その風で用紙片１０を積極的にスクリュー圧縮部入り口に送り込むようにする。
【実施例】
【００１４】  本発明による実施例を図１、図２、図３を参照し説明する。
ローター２は全体が細かい格子構造であり通気性をもっている。格子の表面は高吸湿材の塩化リチュームが塗布されており常温では通過する空気から水分を吸収するようになっている。【００１５】  ローター２は中心に回転軸３があり、回転軸３はモーター４とつながりゆっくり回転できるようになっている。【００１６】  本体の穴７はローラー２の上半分に当たる部分しか明いておらず、噴出す風で用紙破砕部９から落ちてくる用紙片１０をスクリュー圧縮部１２の入り口に送り込むようになっている。【００１７】  円筒５はファン１から供給される空気の流路で、中央部に上下の空気を仕切る為の仕切板８が設置されている。仕切板８の上側と筒５に囲まれるスペースにはヒーター６が設置され通過する空気を暖めるようになっている。【００１８】  ファン１から送り込まれて来る空気は仕切板８で上下に分けられ、上部を流れる空気はヒーター６により暖められ、下部を流れる空気はそのままローター２の格子を通過する。下部の塩化リチュームが塗布された格子はそこを通過する空気から水分を吸収し、ローター２が回転し同じ部分が上部へ移った際格子を流れるヒーター６により暖めたれた空気が塩化リチュームから水分を奪い穴７から高温高湿の空気を用紙片１０に供給する。【００１９】  用紙片１０は引千切りにより破砕されているため破面が毛羽立っており、また高温多湿の風が当たるとその温度差でより吸湿しやすくなり、水分を吸った用紙片は繊維が柔らかくなり容易に圧縮でき、また乾燥すると繊維が絡みやすいため用紙の固形化が容易となる。【００２０】  本発明の別の実施例を図４を参照し説明する。
スクリュー圧縮部１２の圧力室には溝１１が施されていて、穴７から供給される高温多湿の風の一部は溝１１を通って外部に流れるようになっている。【００２１】  穴７から流入した高温多湿の風はスクリュー圧縮部１２の内部を通り圧縮される用紙に水分を追加供給しながら外部に抜けるため、スクリュー圧縮部１２の用紙入り口部に風の吸い込みができ、その風により用紙片１０は効率的に圧力室に導入される。
【図面の簡単な説明】
【図１】本発明による実施例の図である。
【図２】図１の側面図（矢視Ａ）である。
【図３】図２の側面図（矢視Ｂ）である。
【図４】図２のＣ−Ｃ断面図である。
【符号の説明】
１．          ファン
２．          ローター
３．          軸
４．          モーター
５．          筒
６．          ヒーター
７．          穴
８．          仕切板
９．          用紙破砕部
１０．        用紙片
１１．        溝
１２．        スクリュー圧縮部
【図１】
2006007192.tif 000003
【図２】
2006007192.tif 000004
【図３】
2006007192.tif 000005
【図４】
2006007192.tif 000006